(57)【特許請求の範囲】
【請求項１】
建物の内壁を形成する面材である石膏ボードが、その裏面を区画するように配置された桟材に固定されており、
前記桟材の前記面材が固定された面とは反対側の面に平板状の蓄電池が固定されていることを特徴とする蓄電池設置構造。
【請求項２】
前記桟材は木桟であることを特徴とする請求項１に記載の蓄電池設置構造。
【請求項３】
前記建物の内壁を形成する前記面材は、その表面に周囲の壁構造の表面と連続した仕上材が貼着されておらず、前記周囲の壁構造の前記仕上材を破断することなく、着脱可能とされていることを特徴とする請求項１又は２に記載の蓄電池設置構造。
【請求項４】
前記建物の内壁を形成する前記面材は、前記建物の収納空間の内部の内壁面を形成するものであることを特徴とする請求項１乃至３のいずれか１項に記載の蓄電池設置構造。
【発明の詳細な説明】
【技術分野】
【０００１】
本発明は、建物内に蓄電池を設置するための蓄電池設置構造に関するものである。
【背景技術】
【０００２】
近年、エネルギーの有効利用を目的として、一般住宅などの建物でも、蓄電池の導入が進んでいる。
【０００３】
特に一般住宅などの建物では、限られた居住空間を蓄電池に占有されないように、所謂デッドスペースである壁内に蓄電池を設置する技術が提案され、実施に供されている（特許文献１，２等を参照）。
また、蓄電池が安定した性能を長期にわたって維持するためには、温度環境の変動が小さい空間、すなわち、断熱材の内側である内壁側に設置するのが望ましい。
【先行技術文献】
【特許文献】
【０００４】
【特許文献１】特許第３９９３３３９号公報
【特許文献２】特許第４２１６９４８号公報
【発明の概要】
【発明が解決しようとする課題】
【０００５】
しかしながら、一般住宅などの建物の内壁を形成する面材は、コストや防火性等を考慮して石膏ボードが採用されることが多いが、石膏ボードは機械的強度（特に釘やビス類による保持力等）が小さいため、重量物である蓄電池を単独で支持することが困難である。
そのため、特許文献１に開示された従来技術では、蓄電池を支持するために専用の支持部材を使用しているので、その分、コスト高となってしまう問題があった。
また、特許文献２に開示された従来技術では、蓄電池を小分けにして重量の分散化を図っているが、その分、必要な容量あたりのコストが高くなってしまうという問題があった。
【０００６】
そこで、本発明は、石膏ボードのような機械的強度が小さい面材を用いた壁であっても、コストを抑制して蓄電池を支持することができる蓄電池設置構造を提供することを目的としている。
【課題を解決するための手段】
【０００７】
前記目的を達成するために、本発明の第１の蓄電池設置構造は、内壁を形成する面材が、その裏面を区画するように配置された桟材に固定されており、前記桟材の前記面材が固定された面とは反対側の面に平板状の蓄電池が固定されていることを特徴とする。  
【０００８】
ここで、内壁を形成する前記面材が、石膏ボードであり、前記桟材は木桟であるとよい。
【０００９】
また、内壁を形成する前記面材は、その表面に周囲の壁構造の表面と連続した仕上材が貼着されておらず、前記周囲の壁構造の前記仕上材を破断することなく、着脱可能とされているとよい。
【００１０】
さらに、内壁を形成する前記面材は、建物の収納空間の内部の内壁面を形成するものであるとよい。
【００１１】
本発明の第２の蓄電池設置構造は、内壁を形成する面材の表面にフカシ壁が桟材を介して固定されて設けられており、前記フカシ壁の裏面に平板状の蓄電池が設置されていることを特徴とする。
【００１２】
ここで、内壁を形成する前記面材が、石膏ボードであり、前記フカシ壁は合板であり、前記桟材は木桟であるとよい。
【００１３】
また、前記フカシ壁は、その表面に周囲の壁構造の表面と連続した仕上材が貼着されておらず、前記周囲の壁構造の前記仕上材を破断することなく、着脱可能とされているとよい。
【００１４】
さらに、前記フカシ壁は、建物の収納空間の内部の内壁面を形成するものであるとよい。
【発明の効果】
【００１５】
このような本発明の第１の蓄電池設置構造は、内壁を形成する面材が、その裏面を区画するように配置された桟材に固定されており、桟材の面材が固定された面とは反対側の面に平板状の蓄電池が固定された構成とされている。
【００１６】
上記した構成なので、重量物である蓄電池の重量は桟材が負担するため、石膏ボードのような機械的強度が小さい面材を用いた内壁であっても、コストを抑制して蓄電池を支持することができる。
【００１７】
ここで、内壁を形成する面材が、石膏ボードであり、桟材は木桟である場合は、石膏ボードも木桟も建材としては安価なものなので、よりコストを抑制して蓄電池を支持することができる。
【００１８】
また、内壁を形成する面材は、その表面に周囲の壁構造の表面と連続した仕上材が貼着されておらず、周囲の壁構造の仕上材を破断することなく、着脱可能とされている場合は、面材を外して容易にメンテナンスを行うことができるし、メンテナンスが終わった後は、直ぐに現状回復することができる。
【００１９】
さらに、内壁を形成する面材は、建物の収納空間の内部の内壁面を形成するものである場合は、蓄電池を設置するための内壁を形成する面材が、周囲の壁構造と多少違和感があっても、収納空間の内部なので、目立たずに済む。
【００２０】
このような本発明の第２の蓄電池設置構造は、内壁を形成する面材の表面にフカシ壁が桟材を介して固定されて設けられており、フカシ壁の裏面に平板状の蓄電池が設置された構成とされている。
【００２１】
上記した構成なので、重量物である蓄電池の重量はフカシ壁が負担するため、石膏ボードのような機械的強度が小さい面材を用いた内壁であっても、コストを抑制して蓄電池を支持することができる。
【００２２】
ここで、内壁を形成する面材が、石膏ボードであり、フカシ壁は合板であり、桟材は木桟である場合は、石膏ボードも合板も木桟も建材としては安価なものなので、よりコストを抑制して蓄電池を支持することができる。また、フカシ壁が合板であると、曲り強度が高いので、用いる木桟が少なくて済み、設置する蓄電池を小割せずに済む。
【００２３】
また、フカシ壁は、その表面に周囲の壁構造の表面と連続した仕上材が貼着されておらず、周囲の壁構造の仕上材を破断することなく、着脱可能とされている場合は、フカシ壁を外して容易にメンテナンスを行うことができるし、メンテナンスが終わった後は、直ぐに現状回復することができる。
【００２４】
さらに、フカシ壁は、建物の収納空間の内部の内壁面を形成するものである場合は、蓄電池を設置するためのフカシ壁が、周囲の壁構造と多少違和感があっても、収納空間の内部なので、目立たずに済む。
【図面の簡単な説明】
【００２５】
【図１】実施例１の蓄電池設置構造の概略構成を示す説明図である。
【図２】実施例１の蓄電池設置構造に用いられるパネルの概略構成を示す説明図である。
【図３】実施例１の蓄電池設置構造の施工を説明するための説明図である。
【図４】実施例２の蓄電池設置構造の概略構成を示す説明図である。
【図５】実施例２の蓄電池設置構造に用いられるパネルの概略構成を示す説明図である。
【図６】実施例２の蓄電池設置構造の施工を説明するための説明図である。
【発明を実施するための形態】
【００２６】
以下、本発明を実施するための形態を、図面に示す実施例１，２に基づいて説明する。
【実施例１】
【００２７】
先ず、実施例１の構成について説明する。
図１は、実施例１の蓄電池設置構造の概略構成を示している。
【００２８】
この実施例１の蓄電池設置構造では、収納空間Ｓの内部の内壁面を形成する石膏ボードから成る面材１の裏面側に、木桟から成る桟材２を介して、平板状の蓄電池３が設置された構成とされている。
【００２９】
より詳細には、図２に示したように、矩形に組み、中間部に横架材２ａ，２ａを架設して成る桟材２の一方の面に面材１を接着剤又はビスで固定し、他方の面に、桟材２の横架材２ａ，２ａに跨るように平板状の蓄電池３を、その固定片の部分でビス４，・・・により固定してなるパネルＰ１，Ｐ１を用いる。
【００３０】
すなわち、この実施例１の蓄電池設置構造は、図３に示したように、建物に固定された固定部としての受桟５，・・に長ビス６，・・・によりパネルＰ１，Ｐ１を固定して成る。また、パネルＰ１，Ｐ１は、長ビス６，・・・を外すことで簡単に取り外すこともでき、着脱可能である。
【００３１】
なお、図１に示したように、収納空間Ｓは、通常時は、扉７で塞がれている。
また、蓄電池３，３には、コネクタを介して、配線８がそれぞれ接続され、図示省略のパワーコンディショナーと接続される。
さらに、面材１，１の表面には、周囲の壁構造の表面と連続した仕上材が貼着されていない。
【００３２】
次に、実施例１の作用効果について説明する。
このような実施例１の蓄電池設置構造は、内壁を形成する面材１，１が、その裏面を区画するように配置された桟材２に固定されており、桟材２の横架材２ａ，２ａに跨るように平板状の蓄電池３が固定された構成とされている。
【００３３】
上記した構成なので、重量物である蓄電池３の重量は桟材２が負担するため、石膏ボードのような機械的強度が小さい面材１，１を用いた内壁であっても、コストを抑制して蓄電池３を支持することができる。
【００３４】
ここで、内壁を形成する面材１が、石膏ボードであり、桟材２は木桟である。
このため、石膏ボードも木桟も建材としては安価なものなので、よりコストを抑制して蓄電池３を支持することができる。
【００３５】
また、パネルＰ１，Ｐ１は、内壁を形成する面材１の表面に周囲の壁構造の表面と連続した仕上材が貼着されておらず、周囲の壁構造の仕上材を破断することなく、着脱可能とされている。
このため、パネルＰ１，Ｐ１を外して蓄電池３，３を容易にメンテナンスすることができるし、メンテナンスが終わった後は、直ぐに現状回復することもできる。
【００３６】
さらに、内壁を形成する面材１，１は、建物の収納空間Ｓの内部の内壁面を形成するものである。
このため、蓄電池３，３を設置するための内壁を形成する面材１，１が、周囲の壁構造と多少違和感があっても、収納空間Ｓの内部なので、目立たずに済む。
【実施例２】
【００３７】
次に、実施例２について説明する。
なお、実施例１で説明した内容と同一乃至均等な部分の説明については同一符号を付して説明する。
図４は、実施例２の蓄電池設置構造の概略構成を示している。
【００３８】
この実施例２の蓄電池設置構造では、収納空間Ｓの内部の内壁面を形成する石膏ボードから成る面材１の表面側に、合板から成るフカシ壁２０が、木桟から成る桟材２を介して固定され、フカシ壁２０の裏面側に平板状の蓄電池３が設置された構成とされている。
【００３９】
より詳細には、図５に示したように、矩形に組んで成る桟材２の一方の面にフカシ壁２０を接着剤又はビスで固定し、フカシ壁２０の裏面側に平板状の蓄電池３を、その固定片の部分でビス４，・・・により固定してなるパネルＰ２，Ｐ２を用いる。
【００４０】
すなわち、この実施例２の蓄電池設置構造は、図６に示したように、建物に固定された固定部としての受桟５，・・に、面材１を介して、長ビス６，・・・によりパネルＰ２，Ｐ２を固定して成る。また、パネルＰ２，Ｐ２は、長ビス６，・・・を外すことで簡単に取り外すこともでき、着脱可能である。
【００４１】
なお、図４に示したように、収納空間Ｓは、通常時は、扉７で塞がれている。
また、蓄電池３，３には、コネクタを介して、面材１に設けた孔を通した配線８がそれぞれ接続され、図示省略のパワーコンディショナーと接続される。
さらに、フカシ壁２０，２０の表面には、周囲の壁構造の表面と連続した仕上材が貼着されていない。
【００４２】
次に、実施例２の作用効果について説明する。
このような実施例２の蓄電池設置構造は、内壁を形成する面材１の表面にフカシ壁２０，２０が桟材２を介してそれぞれ固定されて設けられており、フカシ壁２０，２０の裏面に平板状の蓄電池３，３が設置された構成とされている。
【００４３】
上記した構成なので、重量物である蓄電池３の重量はフカシ壁２０が負担するため、石膏ボードのような機械的強度が小さい面材１を用いた内壁であっても、コストを抑制して蓄電池を支持することができる。
【００４４】
ここで、内壁を形成する面材１が、石膏ボードであり、フカシ壁２０は合板であり、桟材２は木桟である。
このため、石膏ボードも合板も木桟も建材としては安価なものなので、よりコストを抑制して蓄電池を支持することができる。また、フカシ壁２０が合板であると、曲り強度が高いので、用いる木桟２が少なくて済み、設置する蓄電池３を小割せずに済む。
【００４５】
また、パネルＰ２，Ｐ２は、フカシ壁２０，２０の表面に周囲の壁構造の表面と連続した仕上材が貼着されておらず、周囲の壁構造の仕上材を破断することなく、着脱可能とされている。
このため、パネルＰ２，Ｐ２を外して蓄電池３，３を容易にメンテナンスすることができるし、メンテナンスが終わった後は、直ぐに現状回復することもできる。
【００４６】
さらに、フカシ壁２０，２０は、建物の収納空間Ｓの内部の内壁面を形成するものである。
このため、蓄電池３，３を設置するためのフカシ壁２０，２０が、周囲の壁構造と多少違和感があっても、収納空間Ｓの内部なので、目立たずに済む。  
【００４７】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【００４８】
例えば、上記した実施例１，２では、建物の収納空間Ｓの内部に適用して実施したが、これに限定されず、例えば階段下など、その他の箇所に適用して実施してもよい。
また、上記した実施例１，２では、パネルＰ１，Ｐ２の表面に仕上材を貼着して実施したが、これに限定されず、仕上材を貼着せずに実施してもよい。
さらに、上記した実施例１では、平板状の蓄電池３を、桟材２の２本の横架材２ａ，２ａに跨るように固定して実施したが、これに限定されず、例えば、１本の横架材２ａのみに固定して実施してもよい。
【符号の説明】
【００４９】
１      面材
２      桟材
２ａ    横架材
２０    フカシ壁
３      蓄電池
４      ビス
５      受桟（固定部）
６      長ビス
７      扉
８      配線
Ｐ１    パネル
Ｐ２    パネル
Ｓ      収納空間
【図１】
0006666689.tif 000002
【図２】
0006666689.tif 000003
【図３】
0006666689.tif 000004
【図４】
0006666689.tif 000005
【図５】
0006666689.tif 000006
【図６】
0006666689.tif 000007